(57)【要約】【課題】相接合される一対の構造材のうちの少なくとも一方の構造材を再利用しやすくする。【解決手段】相接合される一対の構造材20,30のうちの一方の構造材20における、他方の構造材30との接合面と反対側の面22に添設される座板11と、座板11に直角に結合され、一方の構造材20に挿入される座板側パイプ12と、座板側パイ12と同方向において一端側13cが他方の構造材30に挿入され、他端側13bが座板側パイプ12に挿入される連結パイプ13と、連結パイプ13における一端側13cに設けられた、連結パイプ13の軸線方向と直交する方向に向かって他方の構造材30に挿入される第１連結ピン41が挿入される第１連結用穴h1と、連結パイプ13と座板側パイプ12との重なり部に設けられた、連結パイプ13および座板側パイプ12の軸線方向と直交する方向に向かって一方の構造材20に挿入される第２連結ピン42が挿入される第２連結用穴h2とを備えている。【選択図】図２
2013185426.tif 000002
【特許請求の範囲】
【請求項１】
相接合される一対の構造材（２０，３０）のうちの一方の構造材（２０）における、他方の構造材（３０）との接合面（２１）と反対側の面（２２）に添設される座板（１１）と、
この座板（１１）に直角に結合され、前記一方の構造材（２０）に挿入される座板側パイプ（１２）と、
この座板側パイプ（１２）と同方向において一端側（１３ｃ）が前記他方の構造材（３０）に挿入され、他端側（１３ｂ）が前記座板側パイプ（１２）に挿入される連結パイプ（１３）と、
この連結パイプ（１３）における前記一端側（１３ｃ）に設けられた、該連結パイプ（１３）の軸線方向と直交する方向に向かって前記他方の構造材（３０）に挿入される第１連結ピン（４１）が挿入される第１連結用穴（ｈ１）と、
前記連結パイプ（１３）と座板側パイプ（１２）とのそれぞれの重なり部（１２ｐ、１３ｐ）に設けられた、該連結パイプ（１３）および座板側パイプ（１２）の軸線方向と直交する方向に向かって前記一方の構造材（２０）に挿入される第２連結ピン（４２）が挿入される第２連結用穴（ｈ２）と、
を備えたことを特徴とする構造材接合用金具。
【請求項２】
相接合される一対の構造材（２０，３０）のうちの一方の構造材（２０）における、他方の構造材（３０）との接合面（２１）と反対側の面（２２）に添設される座板（１１）と、
この座板（１１）に直角に結合され、前記一方の構造材（２０）に挿入される座板側パイプ（１２）と、
この座板側パイプ（１２）と同方向において一端側（１３ｃ）が前記他方の構造材（３０）に挿入され、他端側（１３ｂ）に前記座板側パイプ（１２）が挿入される連結パイプ（１３）と、
この連結パイプ（１３）における前記一端側（１３ｃ）に設けられた、該連結パイプ（１３）の軸線方向と直交する方向に向かって前記他方の構造材（３０）に挿入される第１連結ピン（４１）が挿入される第１連結用穴（ｈ１）と、
前記連結パイプ（１３）と座板側パイプ（１２）とのそれぞれの重なり部（１２ｐ、１３ｐ）に設けられた、該連結パイプ（１３）および座板側パイプ（１２）の軸線方向と直交する方向に向かって前記一方の構造材（２０）に挿入される第２連結ピン（４２）が挿入される第２連結用穴（ｈ２）と、
を備えたことを特徴とする構造材接合用金具。
【請求項３】
前記座板側パイプ（１２）は、前記座板（１１）にネジ結合されることを特徴とする請求項１または２記載の構造材接合用金具。
【発明の詳細な説明】
【技術分野】
【０００１】
本発明は，構造材接合用金具に関する。例えば、建築構造材としての土台と柱、土台と壁パネル、柱と梁等を接合するのに適した構造材接合用金具に関するものである。
【背景技術】
【０００２】
従来の構造材接合用金具として，例えば特許文献１に見られるようなものが知られている。同文献の符号を借りて説明すると，この構造材接合用金具は，
相接合される一対の構造材（ｐ）と（ｍ）のうちの一方の構造材（ｍ）における、他方の構造材（ｐ）との接合面と反対側の面に添設される座板（２）と、
この座板（２）に直角に結合され、前記一方の構造材（ｍ）と他方の構造材（ｐ）の双方に挿入されるパイプ（１）と、
このパイプ（１）における先端側に設けられた、該パイプ（１）の軸線方向と直交する方向に向かって前記他方の構造材（ｐ）に挿入される第１連結ピン（４Ａ）が挿入される第１連結用穴（３Ａ）と、
前記パイプ（１）における座板側に設けられた、該パイプ（１）の軸線方向と直交する方向に向かって前記一方の構造材（ｍ）に挿入される第２連結ピン（４Ｂ）が挿入される第２連結用穴（３Ｂ）と、
を備えている。
【先行技術文献】
【特許文献】
【０００３】
【特許文献１】特開２０１０−１８９９１９号公報
【発明の概要】
【発明が解決しようとする課題】
【０００４】
上述した従来の構造材接合用金具では，上記一対の構造材（ｐ）（ｍ）の接合状態を解除（例えば建造物を解体）して構造材を再利用しようとした場合、第２連結ピン（４Ｂ）を抜くだけでなく、第１連結ピン（４Ａ）をパイプ（１）から抜いて、パイプ（１）と構造材（ｐ）との連結状態も解除する必要がある。
しかし、このような解除作業は、構造材（ｍ）だけでなく、構造材（ｐ）も傷める可能性が高い。したがって、構造材（ｐ）（ｍ）いずれの再利用もできなくなるおそれが高い。
【０００５】
本発明が解決しようとする課題は，相接合される一対の構造材のうちの少なくとも一方の構造材を再利用しやすくすることができる構造材接合用金具を提供することである。
【課題を解決するための手段】
【０００６】
上記課題を解決するために，本発明の構造材接合用金具は，
相接合される一対の構造材のうちの一方の構造材における、他方の構造材との接合面と反対側の面に添設される座板と、
この座板に直角に結合され、前記一方の構造材に挿入される座板側パイプと、
この座板側パイプと同方向において一端側が前記他方の構造材に挿入され、他端側が前記座板側パイプに挿入される連結パイプと、
この連結パイプにおける前記一端側に設けられた、該連結パイプの軸線方向と直交する方向に向かって前記他方の構造材に挿入される第１連結ピンが挿入される第１連結用穴と、
前記連結パイプと座板側パイプとのそれぞれの重なり部に設けられた、該連結パイプおよび座板側パイプの軸線方向と直交する方向に向かって前記一方の構造材に挿入される第２連結ピンが挿入される第２連結用穴と、
を備えたことを特徴とする。
【０００７】
この構造材接合用金具によれば，座板を、相接合される一対の構造材のうちの一方の構造材における、他方の構造材との接合面と反対側の面に添設し、座板側パイプを一方の構造材に挿入する一方、連結パイプの一端側を他方の構造材に挿入し、他端側を座板側パイプに挿入し、他方の構造材および連結パイプの第１連結用穴に第１連結ピンを挿入するとともに、一方の構造材および、連結パイプと座板側パイプとのそれぞれの重なり部に設けられた第２連結用穴に第２連結ピンを挿入することによって、一対の構造材を接合することができる。
そして、連結パイプは、その他端側が座板側パイプに挿入され、第２連結用穴に第２連結ピンが挿入されていることによって座板側パイプに連結されているから、一対の構造材の接合状態を解除する際には、第１連結ピンを必ずしも抜かなくても、第２連結ピンを抜くことによって連結パイプと座板側パイプとの連結を解除すれば、連結パイプを他方の構造材に装着したままの状態で、接合状態を解除することができる。
したがって、この発明によれば、相接合される一対の構造材のうちの少なくとも一方の構造材（上記の場合他方の構造材）をほとんど傷つけることなく再利用することができる。
【０００８】
連結パイプと座板側パイプとの挿入関係については、上記と逆すなわち、座板側パイプが連結パイプに挿入される構成とすることができる。
このように構成しても、上記の作用効果が得られる。
さらに、このように構成すると、座板および座板側パイプを用いる場合と、用いない場合とで、一方の部材に開ける穴を共通径とすることができるので、加工作業が容易になる。
【０００９】
前記座板側パイプは、前記座板にネジ結合される構成とすることができる。
このようにすると，前記一方の構造材への座板および座板側パイプの設置が容易になる。
【図面の簡単な説明】
【００１０】
【図１】本発明に係る構造材接合用金具の一実施の形態の正面図。
【図２】同実施の形態の使用例を示す斜視図。
【図３】他の実施の形態の正面図。
【図４】図１に示した実施の形態の他の使用例を示す斜視図。
【図５】図３に示した実施の形態の使用例を示す斜視図。
【発明を実施するための形態】
【００１１】
以下，本発明に係る構造材接合用金具の実施の形態について図面を参照して説明する。なお、各図において、同一部分ないし相当する部分には、同一の符号を付してある。
図１、図２に示すように、この実施の形態の構造材接合用金具１０は，
相接合される一対の構造材２０，３０のうちの一方の構造材２０における、他方の構造材３０との接合面２１と反対側の面２２に添設される座板１１と、
この座板１１に直角に結合され、一方の構造材２０に挿入される座板側パイプ１２と、
この座板側パイプ１２と同方向において一端側１３ｃが他方の構造材３０に挿入され、他端側１３ｂが座板側パイプ１２に挿入される連結パイプ１３と、
この連結パイプ１３における一端側１３ｃに設けられた、該連結パイプ１３の軸線方向と直交する方向に向かって他方の構造材３０に挿入される第１連結ピン４１が挿入される第１連結用穴ｈ１と、
連結パイプ１３と座板側パイプ１２とのそれぞれの重なり部１３ｐ、１２ｐに設けられた、該連結パイプ１３および座板側パイプ１２の軸線方向と直交する方向に向かって一方の構造材２０に挿入される第２連結ピン４２が挿入される第２連結用穴ｈ２と、
を備えている。
【００１２】
この構造材接合用金具１０によれば，座板１１を、相接合される一対の構造材２０，３０のうちの一方の構造材２０における、他方の構造材３０との接合面２１と反対側の面２２に添設し、座板側パイプ１２を一方の構造材２０に挿入する一方、連結パイプ１３の一端側１３ｃを他方の構造材３０に挿入し、他端側１３ｂを座板側パイプ１２に挿入し、他方の構造材３０および連結パイプ１３の第１連結用穴ｈ１に第１連結ピン４１を挿入するとともに、一方の構造材２０および、連結パイプ１３と座板側パイプ１２とのそれぞれの重なり部１２ｐ、１３ｐに設けられた第２連結用穴ｈ２に第２連結ピン４２を挿入することによって、一対の構造材２０，３０を接合することができる。
【００１３】
そして、連結パイプ１３は、その他端側１３ｂが座板側パイプ１２に挿入され、第２連結用穴ｈ２に第２連結ピン４２が挿入されていることによって座板側パイプ１２に連結されているから、一対の構造材２０，３０の接合状態を解除する際には、第１連結ピン４１を必ずしも抜かなくても、第２連結ピン４２を抜くことによって連結パイプ１３と座板側パイプ１２との連結を解除すれば、連結パイプ１３を他方の構造材３０に装着したままの状態で、接合状態を解除することができる。
したがって、相接合される一対の構造材２０，３０のうちの少なくとも一方の構造材（上記の場合他方の構造材３０）を傷つけることなく（少なくともほとんど傷つけることなく）再利用することができる。
【００１４】
例えば一方の構造材２０が建築物の土台であり、他方の構造材３０が柱または壁パネルである場合、その建築物を解体した後、柱または壁パネルを傷つけることなく再利用することができる。なお、土台については、建築物（間取り）が変わればその寸法形状が変わることが多いので、必ずしも再利用できなくても支障はない。
【００１５】
一対の構造材２０，３０の組合せとしては建築物における適宜の組合せがある。例えば、土台と柱、土台と壁パネル、柱と梁等を挙げることができる。これら一対の構造材２０，３０を接合するに際しては、予め、一方の構造材２０に、座金側パイプ１２を挿入するための穴２０ｈ２を開け、他方の構造材３０には、連結パイプ１３を挿入するための穴３０ｈを開けておく。なお、一方の構造材２０の穴については、後述するように、事後的に開けることも可能である。
【００１６】
座板１１は金属板で構成し、座板側パイプ１２は金属パイプで構成することができる。座板１１と座板側パイプ１２との結合は溶接または後述するネジ結合を用いることができる。
連結パイプ１３は金属パイプで構成することができる。第１，第２ピン４１，４２は金属ピンで構成でき、同一形状の金属ピンを用いることができる。
図示の構造材接合用金具１０においては、第１連結用穴ｈ１が３個、第２連結用穴ｈ２が２個設けられているが、これらの穴の数は、それぞれ適宜設定することができる。
【００１７】
図３に示すように、連結パイプ１３と座板側パイプ１２との挿入関係については、上記と逆、すなわち、座板側パイプ１２が連結パイプ１３に挿入される構成とすることができる。
このように構成しても、上記の作用効果が得られる。
さらに、このように構成すると、座板１１および座板側パイプ１２を用いる場合と、用いない場合とで、一方の部材２０に開ける穴を共通径とすることができるので、加工作業が容易になる。
【００１８】
この点について具体例を挙げて説明する。
例えば図４に示すように、１つの構造材２０に対し、複数の構造材（図示のものは３１，３２，３２の３つ）を接合する場合、ある構造材３１については図１に示した構造材接合用金具１０を用い、他の構造材３２，３２・・・については、図１に示した連結パイプ１３のみを用いるということがあり得る。連結パイプ１３のみを用いた場合には、比較的安価で施工も簡単であるが、一方の構造材２０に割れが生じやすい、構造材接合用金具１０を用いた場合には、一方の構造材２０に割れは生じ難くなるが比較的高価で施工の手間も増える、といったメリット・デメリットがそれぞれにあるからである。
このように両者を１つの構造材２０に対して使い分ける場合、一方の構造材２０には、座金側パイプ１２を挿入するための比較的大径の穴２０ｈ２と、連結パイプ１３を挿入するための比較的小径の穴２０ｈ１とを設ける必要がある。そのため、構造材２０の加工作業が煩雑になる。
これに対し、座板側パイプ１２が連結パイプ１３に挿入される構成とするすると、例えば図５に示すように、１つの構造材２０に対し、複数の構造材（図示のものは３１，３２，３２の３つ）を接合するに際し、ある構造材３１については図３に示した構造材接合用金具１０’を用い、他の構造材３２，３２・・・については、図１および図３に示した連結パイプ１３のみを用いる場合であっても、一方の構造材２０には、連結パイプ１３を挿入するための穴２０ｈ１のみを設ければよい。そのため、構造材２０の加工作業が容易になる。
【００１９】
座板側パイプ１２は、座板１１にネジ結合される構成とすることができる。
このようにすると，一方の構造材２０への座板１１および座板側パイプ１２の事後的な設置が容易になる。
例えば、一方の構造材（例えば土台）２０を基礎１（図４参照）の上に設置した後、構造材２０の新たな位置に構造材接合用金具１０を利用する必要が生じた場合、座板側パイプ１２が座板１１に溶接された構成であると、一方の構造材２０には、予め座板側パイプ１２を挿入するための穴２０ｈ２（または２０ｈ１（図５））を開けておく必要があるため、構造材２０の設置状態を解除する（基礎１から取り外す）必要がある。
これに対し、座板側パイプ１２が座板１１にネジ結合される構成とすると、構造材２０の新たな位置に構造材接合用金具１０を利用する必要が生じた場合には、構造材２０における座板１１を設ける面２２側に座板１１を設けるスペースを設け（あるいは基礎１と構造材２０との間にスペースＳ（図４）を開けておく）とともに、構造材２０に対し、他方の構造材３０との接合面２１側から、座板側パイプ１２を挿入するための穴２０ｈ２（または２０ｈ１）を設け、構造材２０における座板１１を設ける面２２側に座板１１を設けるとともに、穴２０ｈ２（または２０ｈ１）に他方の構造材３０との接合面２１側から座板側パイプ１２を挿入して座板１１にネジ結合させることで、構造材接合用金具１０を利用することができるようになる。
【００２０】
以上，本発明の実施の形態について説明したが，本発明は上記の実施の形態に限定されるものではなく，本発明の要旨の範囲内において適宜変形実施可能である。
【符号の説明】
【００２１】
１０    構造材接合用金具
１１    座板
１２    座板側パイプ
１３    連結パイプ
１２ｐ、１３ｐ  重なり部
１３ｃ  一端側
１３ｂ  他端側
２０    一方の構造材
３０    他方の構造材
４１    第１連結ピン
４２    第２連結ピン
ｈ１    第１連結用穴
ｈ２    第２連結用穴
【図１】
2013185426.tif 000003
【図２】
2013185426.tif 000004
【図３】
2013185426.tif 000005
【図４】
2013185426.tif 000006
【図５】
2013185426.tif 000007